【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
移動中に取得した位置と位置取得時刻と移動目的を少なくとも含む移動情報を、外部装置から取得する移動情報取得部と、
前記移動情報取得部で取得した移動情報から移動方向の判別を、前記外部装置毎に行い、判別した移動方向と該移動方向の移動目的を示すガイド情報を生成するガイド情報生成部と
を備える情報処理装置。
【請求項２】
前記ガイド情報生成部は、前記移動情報取得部で取得した移動情報から移動方向探索範囲内の位置を示す移動情報の選択と、該選択した移動情報の位置と位置取得時刻に基づき前記移動方向の判別を行う
請求項１記載の情報処理装置。
【請求項３】
前記ガイド情報生成部は、前記選択した移動情報の位置を位置取得時刻の順に用いて位置間の移動ベクトルを算出して、該算出した移動ベクトルに基づき前記移動方向を判別する
請求項２記載の情報処理装置。
【請求項４】
前記ガイド情報生成部は、移動目的毎の頻度を判別して、判別結果に基づいて前記移動方向の移動目的を決定する
請求項１記載の情報処理装置。
【請求項５】
前記ガイド情報生成部は、時間指定が行われることに応じて、指定された時間の位置取得時刻を含む移動情報の選択を行い、選択した移動情報から前記ガイド情報を生成する
請求項２記載の情報処理装置。
【請求項６】
前記移動情報には性別または年齢の情報が含まれており、
前記ガイド情報生成部は、性別の指定が行われることに応じて指定された性別を示す移動情報の選択を行い、年齢の指定が行われることに応じて指定された年齢に基づいて設定した年齢範囲の移動情報の選択を行い、選択した移動情報から前記ガイド情報を生成する
請求項２記載の情報処理装置。
【請求項７】
前記ガイド情報生成部は、移動目的が指定されることに応じて、前記外部装置毎に判別した移動方向から前記指定された移動目的に該当する移動方向を選択して、該選択した移動方向を示すガイド情報を生成する
請求項１記載の情報処理装置。
【請求項８】
前記ガイド情報生成部は、前記ガイド情報の提示を行う位置範囲が指定されたことに応じて、該位置範囲を分割して、各分割領域を前記移動方向探索範囲にそれぞれ設定して前記ガイド情報の生成を行う
請求項２記載の情報処理装置。
【請求項９】
前記ガイド情報生成部で生成したガイド情報に基づいて移動方向と移動目的を提示するガイド提示部をさらに備える
請求項１記載の情報処理装置。
【請求項１０】
現在位置を取得する位置取得部を備え、
前記ガイド情報生成部は、前記位置取得部で取得された現在位置を基準として前記移動方向探索範囲を設定する
請求項９記載の情報処理装置。
【請求項１１】
移動中に取得した位置と位置取得時刻と移動目的を少なくとも含む移動情報を、外部装置から取得して、該取得した移動情報から移動方向の判別を、前記外部装置毎に行い、判別した移動方向と該移動方向の移動目的を示すガイド情報を生成するガイド情報生成装置に対して、ガイド情報の要求を行うガイド情報要求部と、
前記ガイド情報の要求に応じて前記ガイド情報生成装置から供給されたガイド情報に基づいて、移動方向と移動目的を提示するガイド提示部と
を備える情報処理装置。
【請求項１２】
前記ガイド提示部は、地図の表示を行い、前記ガイド情報に基づいて地図上に移動方向と移動目的を表示する
請求項１１記載の情報処理装置。
【請求項１３】
撮像画像を生成する撮像部と、
撮像画像の方位を取得する方位取得部をさらに備え、
前記ガイド提示部は、前記撮像部で生成された撮像画像の表示を行い、前記方位取得部で取得された撮像画像の方位と、移動方向における方位を一致させて、前記ガイド情報に基づいて撮像画像上に移動方向と移動目的を表示する
請求項１１記載の情報処理装置。
【請求項１４】
移動中に取得した位置と位置取得時刻と移動目的を少なくとも含む移動情報を、外部装置から取得する工程と、
前記取得した移動情報から移動方向の判別を、前記外部装置毎に行い、判別した移動方向と該移動方向の移動目的を示すガイド情報を生成する工程と
含む情報処理方法。
【請求項１５】
ガイド情報の生成をコンピュータで実行させるプログラムであって、
移動中に取得した位置と位置取得時刻と移動目的を少なくとも含む移動情報を、外部装置から取得する手順と、
前記取得した移動情報から移動方向の判別を、前記外部装置毎に行い、判別した移動方向と該移動方向の移動目的を示すガイド情報を生成する手順と
を前記コンピュータで実行させるプログラム。
【請求項１６】
移動中に取得した位置と位置取得時刻と移動目的を少なくとも含む移動情報を生成する１または複数の第１の情報処理装置と、
前記第１の情報処理装置で生成された移動情報を取得して、取得した移動情報から移動方向の判別を行い、判別した移動方向と該移動方向の移動目的を示すガイド情報を生成する第２の情報処理装置と、
前記第２の情報処理装置に対してガイド情報の要求を行い、該要求に応じて前記第２の情報処理装置で生成されたガイド情報に基づいてガイドの提示を行う第３の情報処理装置と
を備える情報処理システム。
【手続補正２】
【補正対象書類名】明細書
【補正対象項目名】０００６
【補正方法】変更
【補正の内容】
【０００６】
この技術の第１の側面は、
移動中に取得した位置と位置取得時刻と移動目的を少なくとも含む移動情報を、外部装置から取得する移動情報取得部と、
前記移動情報取得部で取得した移動情報から移動方向の判別を、前記外部装置毎に行い、判別した移動方向と該移動方向の移動目的を示すガイド情報を生成するガイド情報生成部と
を備える情報処理装置にある。
【手続補正３】
【補正対象書類名】明細書
【補正対象項目名】０００８
【補正方法】変更
【補正の内容】
【０００８】
この技術の第２の側面は、
移動中に取得した位置と位置取得時刻と移動目的を少なくとも含む移動情報を、外部装置から取得して、該取得した移動情報から移動方向の判別を、前記外部装置毎に行い、判別した移動方向と該移動方向の移動目的を示すガイド情報を生成するガイド情報生成装置に対して、ガイド情報の要求を行うガイド情報要求部と、
前記ガイド情報の要求に応じて前記ガイド情報生成装置から供給されたガイド情報に基づいて、移動方向と移動目的を提示するガイド提示部と
を備える情報処理装置にある。
【手続補正４】
【補正対象書類名】明細書
【補正対象項目名】００１０
【補正方法】変更
【補正の内容】
【００１０】
この技術の第３の側面は、
移動中に取得した位置と位置取得時刻と移動目的を少なくとも含む移動情報を、外部装置から取得する工程と、
前記取得した移動情報から移動方向の判別を、前記外部装置毎に行い、判別した移動方向と該移動方向の移動目的を示すガイド情報を生成する工程と
含む情報処理方法にある。
【手続補正５】
【補正対象書類名】明細書
【補正対象項目名】００１１
【補正方法】変更
【補正の内容】
【００１１】
この技術の第４の側面は、
ガイド情報の生成をコンピュータで実行させるプログラムであって、
移動中に取得した位置と位置取得時刻と移動目的を少なくとも含む移動情報を、外部装置から取得する手順と、
前記取得した移動情報から移動方向の判別を、前記外部装置毎に行い、判別した移動方向と該移動方向の移動目的を示すガイド情報を生成する手順と
を前記コンピュータで実行させるプログラムにある。
【手続補正６】
【補正対象書類名】明細書
【補正対象項目名】００１３
【補正方法】変更
【補正の内容】
【００１３】
この技術の第５の側面は、
移動中に取得した位置と位置取得時刻と移動目的を少なくとも含む移動情報を生成する１または複数の第１の情報処理装置と、
前記第１の情報処理装置で生成された移動情報を取得して、取得した移動情報から移動方向の判別を行い、判別した移動方向と該移動方向の移動目的を示すガイド情報を生成する第２の情報処理装置と、
前記第２の情報処理装置に対してガイド情報の要求を行い、該要求に応じて前記第２の情報処理装置で生成されたガイド情報に基づいてガイドの提示を行う第３の情報処理装置と
を備える情報処理システムにある。
【手続補正７】
【補正対象書類名】明細書
【補正対象項目名】００７３
【補正方法】変更
【補正の内容】
【００７３】
また、端末装置２０は、他の端末装置の移動方向と移動目的に関するガイド情報の提示を行う場合、ステップＳＴ４１で端末装置は、ガイド位置を示す情報を含めてガイド情報の要求をサーバ装置５０に対して行う。ステップＳＴ４２でサーバ装置５０は、ガイド位置を基準として移動方向探索範囲を設定して、記憶部５２に記憶されている移動情報を利用して、移動方向探索範囲における他の端末装置の移動方向を判別する。また、サーバ装置５０は、判別した移動方向と、この移動方向についての移動目的を示すガイド情報を生成する。ステップＳＴ４３でサーバ装置５０は、生成したガイド情報を端末装置２０へ出力する。端末装置２０は、サーバ装置５０で生成されたガイド情報に基づいて、他の端末装置の移動方向と移動目的を提示する。